(57)【特許請求の範囲】
【請求項１】
被診断者に取り付けられる心電図記録装置および当該心電図記録装置に対して指示信号を送信する通信装置を有する心電計システムにおいて、
前記心電図記録装置は、
被診断者の心電図を検出する検出手段と、
前記通信装置からの指示信号を無線で受信する記録部側受信手段と、
前記検出された心電図を無線で前記通信装置に送信する記録部側送信手段と、を備え、
前記通信装置は、
立位および仰臥位を少なくとも含む複数の体位の種類のうちから選択される被診断者の体位の種類の入力を受け付けるための選択手段と、
前記選択手段によって体位の種類の入力が受け付けられたときに、前記指示信号を前記心電図記録装置に対して無線で送信する通信装置側送信手段と、
前記心電図記録装置によって検出された心電図を受信する通信装置側受信手段と、を備え、
前記心電図記録装置は、前記指示信号を前記通信装置から無線で受信したときに検出された心電図を、前記選択される体位に対応する参照心電図として記憶する記憶手段を有することを特徴とする心電計システム。
【請求項２】
前記通信装置は、さらに
前記心電図記録装置から受信した心電図を表示するための表示手段と、
心電図を受信する毎に当該心電図に対応する波形を時系列に前記表示手段に表示させるとともに、前記送信手段によって指示信号が送信された場合には、前記記憶手段に特定されて記憶されている心電図に対応する波形を静止画像として所定時間表示させるように制御する制御手段とを備えることを特徴とする請求項１に記載の心電計システム。
【請求項３】
前記通信装置から無線で送信される前記指示信号は、前記選択される体位についての情報を含んでいることを特徴とする請求項１または２に記載の心電計システム。
【請求項４】
さらに、前記心電図記録装置による心電図の検出結果と前記記憶手段に特定されて記憶されている前記参照心電図とを比較する比較手段と、前記比較手段による比較結果に基づいて、心電図の検出結果を解析する解析手段とを備える解析装置を有することを特徴とする請求項１〜３のいずれか一つに記載の心電計システム。
【発明の詳細な説明】
【０００１】
【発明の属する技術分野】
本発明は、被診断者の心電図を検出して記録する心電計システムに関する。
【０００２】
【従来の技術】
携帯型心電計で検出される心電図は、被診断者の体位の変化に応じて異なることが知られている。したがって、被診断者が健康であるにもかかわらず、単に被診断者の体位が変わったことに起因して心電図に変化が現れる場合がある。この結果、心電図の変化が単に体位の変化に起因するものであるか、または、被診断者の疾病に起因するものであるのかを区別することが困難となる。したがって、医療従事者などのユーザは、被診断者の体位を変化させた場合の心電図を用紙上に別途記録しておき、携帯型心電計で検出された心電図を解析する際に、上記の別途記録された心電図と見比べる必要があった。
【０００３】
また、本発明と間接的に関連する技術として、被診断者が走ったり寝たりするといった行動内容に応じて設けられたイベントスイッチを被診断者が押すことによって、心電図とともに行動内容を記録できるイベントスイッチ付きの携帯型心電計が知られている。
【０００４】
さらに、近年、長時間にわたって心電図を記録する心電図記録装置をベルトなどに固定する代わりに、被診断者の身体に直接装着するタイプの心電計システムも提案されている。このタイプの心電計システムにおいては、心電図記録装置自体に各種のスイッチを設けることができる空間が制限されている。このような心電計システムにおいても、被診断者の体位の変化に起因する心電図への影響を考慮して心電図を記録し解析できることが望まれている。
【０００５】
【発明が解決しようとする課題】
しかしながら、被診断者の体位別に用紙上に記録された心電図と携帯型心電計で検出された心電図とを医療従事者が比較する場合には、医療従事者の作業が煩雑となり作業負担が大きいといった問題がある。
【０００６】
また、従来のイベントスイッチ付きの携帯型心電計においては、立位、仰臥位、右仰臥位、左仰臥位などの被診断者の体位変化に起因する心電図の変化を考慮して、心電図を記録し、解析することは考慮されていなかった。
【０００７】
さらに、心電図記録装置を身体に直接装着するタイプの心電計システムにおいて、体位の変化に起因する心電図の変化を考慮することは、各種スイッチを設ける空間が制限されているために困難であった。
【０００８】
さらに、被診断者の心電図波形をリアルタイムに視認しつつ、同時に、立位、仰臥位、右仰臥位、または左仰臥位などの状態における特定の心電図波形を確実に視認することができなかった。
【０００９】
本発明は、以上の問題を解決するためになされたものである。したがって、本発明の目的は、体位の変化に起因した心電図の変化と疾病に起因した心電図の変化とを区別することが可能であり、かつ、医療従事者の作業負担が少ない心電計システムを提供することである。
【００１０】
さらに、本発明の他の目的は、立位、仰臥位、右仰臥位、左仰臥位などの複数の体位に応じた心電図の変化を考慮して、心電図を記録し、解析することができる心電計システムを提供することである。
【００１１】
さらに、本発明の他の目的は、心電図記録装置を直接身体に装着する場合であっても、複数の体位に応じた心電図の変化を考慮して、心電図を記録し、解析することができる心電計システムを提供することである。
【００１２】
さらに、本発明の他の目的は、被診断者の心電図波形をリアルタイムに視認しつつ、同時に、立位、仰臥位、右仰臥位、または左仰臥位などの状態における特定の心電図波形を確実に視認することができる心電図システムを提供することである。
【００１３】
【課題を解決するための手段】
以上の目的は、以下の手段によって解決される。
（１）本発明の心電計システムは、被診断者に取り付けられる心電図記録装置および当該心電図記録装置に対して指示信号を送信する通信装置を有する心電計システムにおいて、前記心電図記録装置は、被診断者の心電図を検出する検出手段と、前記通信装置からの指示信号を無線で受信する記録部側受信手段と、前記検出された心電図を無線で前記通信装置に送信する記録部側送信手段と、を備え、前記通信装置は、立位および仰臥位を少なくとも含む複数の体位の種類のうちから選択される被診断者の体位の種類の入力を受け付けるための選択手段と、前記選択手段によって体位の種類の入力が受け付けられたときに、前記指示信号を前記心電図記録装置に対して無線で送信する通信装置側送信手段と、前記心電図記録装置によって検出された心電図を受信する通信装置側受信手段と、を備え、前記心電図記録装置は、前記指示信号を前記通信装置から無線で受信したときに検出された心電図を、前記選択される体位に対応する参照心電図として記憶する記憶手段を有することを特徴とする。
（２）上記の通信装置は、さらに前記心電図記録装置から受信した心電図を表示するための表示手段と、心電図を受信する毎に当該心電図に対応する波形を時系列に前記表示手段に表示させるとともに、前記送信手段によって指示信号が送信された場合には、前記記憶手段に特定されて記憶されている心電図に対応する波形を静止画像として所定時間表示させるように制御する制御手段とを備えることを特徴とする。
（３）上記の通信装置から無線で送信される前記指示信号は、前記選択される体位についての情報を含んでいることを特徴とする請求項１または２に記載の心電計システム。
（４）さらに、前記心電図記録装置による心電図の検出結果と前記記憶手段に特定されて記憶されている前記参照心電図とを比較する比較手段と、前記比較手段による比較結果に基づいて、心電図の検出結果を解析する解析手段とを備える解析装置を有することを特徴とする。
【００１４】
【発明の実施の形態】
以下、添付した図面を参照しつつ、本発明の実施の形態を説明する。
【００１５】
図１は、本発明の一実施形態の心電計システムを示す図である。
【００１６】
図１に示されるように、本発明の実施形態の心電計システムは、生体に粘着された生体電極１００からの心電図に関する信号（以下、単に「心電図」という）を検出し、検出した心電図を記録する心電図記録装置２００、および心電図記録装置２００と通信するためのモニタ装置３００を有する。さらに、この心電図システムは、図２に示されるように、心電図記録装置２００によって被診断者の疾病の有無を診断するために必要な測定時間（たとえば、２４時間）にわたって記録された検出結果としての心電図（以下「心電図データ」という）を解析するために用いられる解析装置４００を有していることが望ましい。なお、本発明における生体電極１００の構造は、従来の生体電極と同様であるので詳しい説明は省略する。
【００１７】
被診断者の体位が変わるのに合わせて医療従事者がモニタ装置３００を操作することによって、被診断者の体位の種類が選択される。体位の種類が選択された場合、体位変化時の心電図波形（以下、「体位波形」という）を記録するように心電図記録装置２００へ指示する信号（以下、「体位波形記録指示」という）がモニタ装置３００から心電図記録装置２００に対して送信される。
【００１８】
心電図記録装置２００は、通常動作時において、上述したように検出結果としての心電図データを記録しており、さらに、体位波形記録指示を受信した場合には、通常動作と並行して、検出される心電図を参照用の体位波形として特定して記録する。
【００１９】
診断に必要な時間にわたって心電図データの記録が完了すると、心電図記録装置２００と解析装置４００との間で通信が実行される。解析装置４００は、心電図記録装置２００による検出結果である心電図データと、参照用の体位波形とを比較することによって、体位の変化に起因した心電図の変化と疾病に起因した心電図の変化とを区別し、精度の高い心電図解析を行う。
【００２０】
図３は、本実施形態における心電図記録装置の構成を示すブロック図である。
【００２１】
入力部２０１は、生体電極１００から心電図を検出する。Ａ／Ｄ変換部２０２は、入力部２０１によって検出された心電図をデジタル化する。心電図メモリ２０３は、デジタル化された心電図を時系列に記憶する。体位情報メモリ２０４は、上述の体位波形記録指示を受信したときの心電図を特定するためのポインタを設定し記憶する。たとえば、ポインタは、体位波形記録指示を受信したときの心電図が記憶される心電図メモリ２０３上のアドレスである。ポインタを記憶する構成を採用することによって、体位波形を実際に記憶する場合に比べてメモリ資源を節約しつつ、参照用の体位波形を特定することができる。
【００２２】
記録装置側通信部２０５は、モニタ装置３００と無線通信するためのインタフェースである。具体的には、記録装置側通信部２０５は、磁気結合によってモニタ装置３００と通信する。この記録装置側通信部２０５は、モニタ装置３００からの制御信号や体位波形記録指示を受信する受信手段、および心電図メモリ２０３に記憶された心電図などの検出結果を外部へ送信する送信手段として機能する。
【００２３】
制御部２０６は、心電図記録装置２００の全体を制御するＣＰＵである。電源２０７は、各部に電力を供給する。
【００２４】
図４は、本実施形態におけるモニタ装置の構成を示すブロック図である。操作部３０１は、後述するように医療従事者などのユーザによって操作可能なボタンやスイッチであり、予め設定された複数種類の体位のうちから被診断者の体位の種類を選択するために用いられる。
【００２５】
モニタ装置側通信部３０２は、心電図記録装置２００と無線通信するためのインタフェースである。モニタ装置側通信部３０２は、操作部３０１によって体位の種類が選択された場合に体位波形記録指示を心電図記録装置２００へ送信する送信手段として機能する。さらに、モニタ装置側通信部３０２は、心電図記録装置２００において検出された心電図をリアルタイムで受信するための受信手段としても機能する。メモリ３０３は、モニタ装置側通信部３０２によって受信した心電図や各種データを一時的に記憶する。
【００２６】
ディスプレイ３０４は、たとえば小型の液晶パネルであり、モニタ装置側通信部３０２で受信した心電図をリアルタイムで表示し、さらに、ポインタを用いて特定されて記憶されている心電図を静止画像として表示する。
【００２７】
制御部３０５は、モニタ装置全体を制御するＣＰＵである。たとえば、制御部３０５は、ディスプレイ３０４に表示させる内容を制御する。
【００２８】
音声出力部３０６は、各種のアラーム音を出力するスピーカを有しており、体位波形記録指示の完了をユーザに知らせる報知手段として機能する。電源３０７は、各部に電力を供給する。なお、本実施形態と異なり、音声出力部３０６を省略することもできる。
【００２９】
図５は、本実施形態における解析装置の構成を示すブロック図である。
【００３０】
解析装置４００は、記録された心電図の検出結果を正常な心拍と異常な心拍とに分類し、それら心拍の数を数える機能を有する。
【００３１】
操作部４０１は、各種指示を入力するためのキーボード、およびマウスなどのポインティングデバイスである。解析装置側通信部４０２は、心電図記録装置２００と通信するためのインタフェースである。解析装置４００は、診断をするのに必要な測定時間にわたって検出された検出結果である心電図データと、体位情報メモリ２０４に記憶されたポインタによって特定される参照用の体位波形とを心電図記録装置２００から取得する。メモリ４０３は、解析装置側通信部４０２を介して受信した各種データを記憶する。ディスプレイ４０４は、操作部４０１から入力された指示内容、処理の実行状況、および解析結果を表示する。
【００３２】
パターン認識部４０５は、参照用の体位波形のパターン認識を行う。抽出部４０６は、参照用の体位波形のパターン認識結果に基づいて、参照用の体位波形と心電図記録装置２００により、診断に必要な測定時間にわたって記録された検出結果である心電図データとを比較し、体位変化に起因する心電図の変化を抽出する。さらに抽出部４０６は、抽出結果に基づいて、心電図の変化が体位変化に起因するか、または他の原因（疾病など）に起因するのかを区別する。
【００３３】
制御部４０７は、解析装置４００全体を制御し演算を実行するＣＰＵである。なお、上記のパターン認識部４０５および抽出部４０６は、通常はハードディスク（不図示）などにインストールされたプログラムを用いて実現することができ、このプログラムは制御部４０７によって実行される。
【００３４】
以上のように構成される心電計システムは、以下のように動作する。
【００３５】
図６は、心電図記録装置の処理内容を示すフローチャートである。
【００３６】
入力部２０１は、生体電極１００から入力される電位変化に基づいて心電図を検出する（ステップＳ１０１）。生体電極１００には、心電センサ電極と不関電極とがある。所定の心電センサ電極の電位を差動増幅し、不関電極から導出される電位によって外来雑音を除去することによって、心電図が検出される。検出された心電図は、アナログ信号である。Ａ／Ｄ変換部２０２は、この心電図をアナログ−デジタル変換することによって、デジタル信号に変換する（ステップＳ１０２）。デジタル信号に変換された心電図は、心電図メモリ２０３の所定のメモリ領域に時系列にリアルタイムで記憶される（ステップＳ１０３）。
【００３７】
次に、モニタ装置３００から制御信号（コマンド信号）が受信されたか否かが判断される（ステップＳ１０４）。後述するように、モニタ装置３００は、モニタ装置側通信部３０２を介して常に制御信号を外部に送信している。したがって、医療従事者などのユーザがモニタ装置側通信部３０２と記録装置側通信部２０５とを磁気結合可能な通信距離まで近づけることによって、記録装置側通信部２０５は、モニタ装置側通信部３０２から制御信号を受信することが可能になる。たとえば、通信距離は、１ｃｍから１００ｃｍであり、好適には１ｃｍから１０ｃｍである。制御信号が受信された場合（ステップＳ１０４：ＹＥＳ）、ステップＳ１０５の処理が実行される。ステップＳ１０５では、ステップＳ１０３において心電図が心電図メモリ２０３に記憶されるのと同時に、記録装置側通信部２０５からモニタ装置側通信部３０２へ心電図が略リアルタイムで送信される。
【００３８】
さらに、モニタ装置２００から体位波形記録指示が受信されたか否かが判断される（ステップＳ１０６）。記録装置側通信部２０５が体位波形記録指示を受信した場合（ステップＳ１０６：ＹＥＳ）、心電図記録装置２００の制御部２０６は、この体位波形記録指示を受信した時点で検出された心電図を特定するためのポインタが体位情報メモリ２０４に記憶される（ステップＳ１０７）。
【００３９】
図７は、被診断者の体位が変化した場合の心電図の一例を示す。図中のＰ点で、被診断者の体位が変化する。上述したように、通常は、被診断者の体位の変化に合わせてモニタ装置３００の操作部３０１が操作されることによって体位波形記録指示がモニタ装置３００から送信される。したがって、図中のＰ点で体位波形記録指示が受信されることになる。この結果、体位波形記録指示が受信された瞬間の心電図が体位変化時の心電図波形、すなわち参照用の体位波形となる。さらに、たとえば、Ｐ点における心電図波形が記憶される心電図メモリ上のアドレスがポインタとして体位情報メモリ２０４に記憶される。
【００４０】
なお、体位波形記録指示には、後述するようにモニタ装置３００の操作部３０１によって選択された体位の種類の情報が含まれていてもよい。この場合、参照用の体位波形と体位の種類とを関連づけて記憶することが望ましい。この結果、立位、仰臥位、右仰臥位、左仰臥位といった各体位別に参照用の体位波形を用意することができ、より精度の高い解析が実現できる。なお、立位とは被診断者が立っている姿勢、仰臥位とはあおむけに寝ている姿勢、右仰臥位とは、被診断者からみて右側の側部を下にして寝ている姿勢、左仰臥位とは、被診断者からみて左側の側部を下にして寝ている姿勢とする。
【００４１】
図８は、モニタ装置の処理内容を示すフローチャートである。
【００４２】
モニタ装置３００は、動作状態においては、常に制御信号を送信している（ステップＳ２０１）。さらに、モニタ装置側通信部３０２が心電図記録装置２００から心電図を受信した場合（ステップＳ２０２：ＹＥＳ）、制御部３０５は、受信した心電図をディスプレイ３０４にリアルタイムで表示させる（Ｓ２０３）。したがって、モニタ装置３００と心電図記録装置２００の距離が通信距離以下である場合には、デジタル化された心電図は、常に心電図記録装置２００からモニタ装置３００に送信されるため、モニタ装置３００はリアルタイムで心電図を表示することが可能となる。このモニタ装置３００による心電図の表示は、心電図記録装置２００へ生体電極１００の接続状態が良好か否かを判断するためにも利用される。なお、心電図記録装置２００の動作チェック時にのみモニタ装置３００によって心電図を表示すればよい。したがって、疾病の有無を診断するために必要な測定時間にわたって心電図を記録するといった通常の動作においては、モニタ装置３００に心電図の表示をさせる必要はない。
【００４３】
ステップＳ２０４では、操作部３０１によって体位の種類の選択が指示されたか否かが判断される。体位の種類の選択が指示された場合は（ステップＳ２０４：ＹＥＳ）、ステップＳ２０５の処理が実行される。
【００４４】
図９は、モニタ装置に設けられた操作部の一例を示す図である。図９に示された例では、操作部３０１として、立位、仰臥位、右側仰臥位、左側仰臥位の各々に対応した複数種類の体位選択用ボタンが設けられている。たとえば、被診断者の体位が仰臥位に変化した場合、医療従事者等のユーザは、この体位選択用ボタンのうちから仰臥位のボタンを選択して押す。この結果、被診断者の体位の種類として仰臥位が選択される。
【００４５】
図１０は、操作部の別の例を示す図である。図１０に示された例では、操作部３０１は、選択されている体位の種類を表示する体位表示部と、自由に体位の種類を選択して体位表示部による表示を変えるための選択ボタンと、体位の種類を決定するための決定ボタンとを有している。図９および図１０に示されるような操作部３０１によって複数の体位の種類のうちから被診断者の体位の種類を選択することができる。
【００４６】
図８のステップＳ２０５では、体位の種類が選択された場合の処理として、モニタ装置側通信部３０２は、体位波形記録指示を心電図記録装置２００へ送信する。なお、上述したように、各体位の種類別に参照用の体位波形を用意するためには、体位波形記録指示は、体位の種類の情報を含んでいることが望ましい。
【００４７】
制御部３０５は、参照用の体位波形として記憶された心電図をディスプレイ３０４に静止画像で表示させる（ステップＳ２０６）。したがって、ディスプレイ３０４には、心電図記録装置２００によって検出される心電図データに対応する波形がリアルタイムで表示されるとともに、参照用の体位波形として記憶された波形が静止画像として表示される。これによって、医療従事者などのユーザは、参照用の体位波形を確認することが容易となる。なお、ユーザは、静止画像として表示される参照用の体位波形を確認した結果、生体電極の装着の不具合などによって適切な体位波形を記憶できていないと判断した場合、適切な体位波形が記憶されるように、操作部３０１を再度操作することができる。
【００４８】
所定時間が経過するのを待って（ステップＳ２０７：ＹＥＳ）、音声出力部３０６はアラーム音を発してユーザに対して体位波形記録の指示が完了したことを報知する（ステップＳ２０８）。たとえば、所定時間は、数秒〜数十秒である。なお、音声出力部３０６によるアラーム音の出力に代えて、ディスプレイ３０４への表示によって、体位波形記録の指示の完了を報知してもよい。
【００４９】
以上の図６および図８で説明した処理を用いることによって、各体位別に参照用の体位波形の記憶が終了する。各参照用の体位波形は、ポインタを用いて読出し可能に記憶される。その後、通常の携帯型心電計システムと同様に、心電図記録装置２００は、疾病の有無の診断に必要な測定時間にわたって心電図を検出し、検出結果である心電図データを記録する。以下、心電図データの解析の処理について説明する。
【００５０】
図１１は、解析装置の処理内容を示すフローチャートである。
【００５１】
まず、解析装置側通信部４０２は、心電図データの記憶が終了した心電図記録装置２００と通信を行うことによって、疾病有無の診断に必要な測定時間にわたって検出された心電図データを受信するとともに、体位情報メモリ２０４に記憶されたポインタの情報を受信する（ステップＳ３０１）。なお、心電図データは心電図メモリ２０３に記憶されている。
【００５２】
受信されたポインタに基づいて、各体位別に参照用の体位波形が取得される。さらに取得された参照用の体位波形の波形パターンが認識される（ステップＳ３０２）。必要な測定時間にわたって検出された結果である心電図データと参照用の体位波形の波形パターンとが比較される（ステップＳ３０３）。この結果、疾病に起因する心電図の変化と、体位の変化に起因する心電図の変化とが分類され区別される。なお、パターン認識の処理としては、通常のパターン認識手法を用いることができる。
【００５３】
診断に必要な測定時間にわたって検出された心電図データのうちから体位の変化に起因して心電図が変化したものと分類される部分が抽出される（ステップＳ３０４）。抽出された部分以外に心電図に異常な心拍部分があるか否かを解析し、異常な心拍部分の数をカウントする（ステップＳ３０５）。解析結果は、プリンタ等によって用紙上に出力され、または、ディスプレイ４０５上に出力される（ステップＳ３０６）。
【００５４】
図１１に示された処理によれば、被診断者毎に実際に測定された参照用の体位波形を用いて心電図データの解析がされるため、実際に測定された参照用の体位波形を用いることなく心電図データの解析を行う場合と比べて、解析の精度が飛躍的に向上する。具体的には、被診断者の固体差によって体位波形が大きく異なる場合であっても、体位の変化に起因する心電図の変化と、虚血性などを示す疾病に起因した心電図の変化とを区別することができ、医療従事者の最終的な判断が容易となる。
【００５５】
以上、本発明の実施形態について説明したが、本発明は、特許請求の範囲に記載された技術思想の範囲内で種々の改変、追加、省略が可能である。
【００５７】
また、上記の説明では、心電図記録装置、モニタ装置、および解析装置の間の通信として磁気結合を用いた場合を説明したが、赤外線通信などの他の通信手段を利用することもできる。なお、取り扱いを容易にする観点からは、小型のモニタ装置と比較的大型の解析装置とは別体として形成されることが望ましいが、モニタ装置と解析装置とは一体的な装置として形成されてもよい。
【００５８】
さらに、参照用の体位波形と長時間計測された心電図データとを比較することに加えて、心電図に変化が生じてから変化が持続する時間や周期に基づく体位波形の分離抽出用アルゴリズムを用いた構成を採用することもできる。この場合でも、被診断者別に実際に測定された参照用の体位波形を考慮できるため、解析精度の向上を図ることが可能である。
【００５９】
上記の説明では、心電図記録装置によって検出された心電図を記憶する心電図メモリと参照用の体位波形を特定するためのポインタを記憶する体位情報メモリとを別々に設けた場合を説明したが、同一の記憶素子内に心電図とポインタとを記憶することもできる。さらに、上記の説明では、ポインタを記憶することによって参照用の体位波形を特定する場合を説明した。上記に説明した構成を採用することによって、通常の心電図データのうちから特定されたデータを参照用の心電図として用いることができ、通常の心電図データの他に参照用の心電図自体を記憶する必要がなくなり、メモリ資源の節約が実現できる。しかしながら、本発明はこの場合に限られず、たとえば、ポインタを用いずに、前記体位波形記録指示を受信した時点で前記検出手段により検出される心電図自体を記憶することによって、当該心電図を特定し記憶することもできる。
【００６０】
【発明の効果】
以上のように、本発明によれば、立位および仰臥位を少なくとも含む複数の体位の種類のうちから選択される被診断者の体位の種類の入力を受け付けて、体位の種類の入力が受け付けられたときに指示信号を前記心電図記録装置に対して無線で送信して、前記指示信号を前記通信装置から無線で受信したときに検出された心電図を、前記選択される体位に対応する参照心電図として記憶するので、立位および仰臥位といった複数の体位別に参照用の体位波形を用意することができ、より精度の高い解析が実現できるとともに、心電図記録装置が直接身体に装着されるタイプのシステムにおいても適用が容易である。
【００６１】
また、これらの効果に加えて、本発明によれば、心電図を受信する毎に当該心電図に対応する波形を時系列に前記表示手段に表示させるとともに、前記送信手段によって指示信号が送信された場合には、前記記憶手段に特定されて記憶されている心電図に対応する波形を静止画像として所定時間表示させるように制御するので、ユーザは、被診断者の心電図波形をリアルタイムに視認しつつ、同時に立位、仰臥位、右仰臥位、または左仰臥位などの状態における特定の心電図波形を確実に視認することができる。
【００６２】
さらに、本発明によれば、前記心電図記録装置による心電図の検出結果と前記記憶手段に特定されて記憶されている心電図とを比較する比較手段と、前記比較手段による比較結果に基づいて心電図の検出結果を解析する解析手段とを備える解析装置を有するので、解析精度が向上し、体位の変化に起因した心電図の変化と疾病に起因した心電図の変化とを区別することが可能であり、かつ、医療従事者の作業負担を軽減することができる。
【図面の簡単な説明】
【図１】  本発明の一実施形態に係る心電計システムを構成する心電図記録装置およびモニタ装置の概略を説明するための図である。
【図２】  解析装置の概略を説明するための図である。
【図３】  心電図記録装置の構成を示すブロック図である。
【図４】  モニタ装置の構成を示すブロック図である。
【図５】  解析装置の構成を示すブロック図である。
【図６】  図３に示される心電図記録装置の処理内容を示すフローチャートである。
【図７】  被診断者の体位が変化した場合の心電図の一例を概念的に示す図である。
【図８】  図４に示されるモニタ装置の処理内容を示すフローチャートである。
【図９】  モニタ装置に設けられる操作部の一例を示す図である。
【図１０】  モニタ装置に設けられる操作部の他の例を示す図である。
【図１１】  図５に示される解析装置の処理内容を示すフローチャートである。
【符号の説明】
１００…生体電極、
２００…心電図記録装置、
３００…モニタ装置、
４００…解析装置、
２０１…入力部、
２０３…心電図メモリ、
２０４…体位情報メモリ、
２０５…記録装置側通信部、
３０１…操作部、
３０２…モニタ装置側通信部、
３０４…ディスプレイ、
３０５…制御部、
４０２…解析装置側通信部、
４０５…パターン認識部、
４０６…抽出部。
【図１】
0004210973.tif 000002
【図２】
0004210973.tif 000003
【図３】
0004210973.tif 000004
【図４】
0004210973.tif 000005
【図５】
0004210973.tif 000006
【図６】
0004210973.tif 000007
【図７】
0004210973.tif 000008
【図８】
0004210973.tif 000009
【図９】
0004210973.tif 000010
【図１０】
0004210973.tif 000011
【図１１】
0004210973.tif 000012